(57)【特許請求の範囲】
【請求項１】
証券用紙の表面にＲＦ−ＩＤタグと該ＲＦ−ＩＤタグを隠蔽する隠蔽層を設けたことを特徴とする証券。
【請求項２】
前記隠蔽層がスクリーンインキ又はホログラムシートもしくはホログラム箔のいずれかによる隠蔽層であることを特徴とする請求項１に記載の証券。
【請求項３】
前記ＲＦ−ＩＤタグに該証券の券面に表示されている情報が記録されていることを特徴とする請求項１または請求項２に記載の証券。
【請求項４】
前記ＲＦ−ＩＤタグが証券用紙の厚みに比較して薄いことを特徴とする請求項１から請求項３のいずれかに記載の証券。
【請求項５】
前記証券が紙幣であり、ＲＦ−ＩＤタグには前記紙幣に印刷表示された金額、管理番号、発行年月日のいずれかを含むデータが記憶されてなることを特徴とする請求項１から請求項４のいずれかに記載の証券。
【請求項６】
前記証券が乗車券であり、前記ＲＦ−ＩＤタグには前記乗車券に表示された乗車できる区間のデータが記録されてなることを特徴とする請求項１から請求項４のいずれかに記載の証券。
【請求項７】
前記証券が有価証券であり、前記ＲＦ−ＩＤタグには前記有価証券に表示された署名及び金額のデータが記憶されてなることを特徴とする請求項１から請求項４のいずれかに記載の証券。
【請求項８】
前記証券が預金通帳であり、ＲＦ−ＩＤタグには前記預金通帳に表示された本人の固有の情報が記録されてなることを特徴とする請求項１から請求項４のいずれかに記載の証券。
【請求項９】
前記証券が商品券またはギフト券であり、前記ＲＦ−ＩＤタグには前記商品券または前記ギフト券に表示された管理番号及び金額が記録されてなることを特徴とする請求項１から請求項４のいずれかに記載の証券。
【請求項１０】
前記証券が旅券であり、前記ＲＦ−ＩＤタグには前記旅券に記載される本人の固有の情報又は渡航手続きの内容及び手続き年月日のデータが記録されてなることを特徴とする請求項１から請求項４いずれかに記載の証券。
【請求項１１】
前記証券が入場券であり、前記ＲＦ−ＩＤタグには前記入場券に記載される情報が記録されてなることを特徴とする請求項１から請求項４のいずれかに記載の証券。
【請求項１２】
前記証券が証書であり、前記ＲＦ−ＩＤタグには前記証書に記載される情報が記録されてなることを特徴とする請求項１から請求項４のいずれかに記載の証券。
【請求項１３】
証券用紙の製造過程において、該証券用紙表面にＲＦ−ＩＤタグを設け、このＲＦ−ＩＤタグを隠蔽する隠蔽層を設けることを特徴とする証券の製造方法。
【発明の詳細な説明】
【０００１】
【発明の属する技術分野】
本発明は、証券に関する。本明細書で言う証券は、紙幣（銀行券、政府紙幣）、有価証券（小切手、手形、株券、債券、倉庫証券、船荷証券、商品券、乗車券、郵便為替証券）、証票（郵便切手、印紙）、入場券、預金通帳、旅券、伝票など、価値を表彰する証書だけでなく、それに類似する証書をも含む広い意味で用いている。
【０００２】
【従来の技術】
従来の証券は、偽造を防止するために、特殊インキ、特殊細紋、特殊用紙などを用いて製造される。しかし、これらの製造技術は、一般に知られており、また、カラーコピーの精度向上と共に、紙幣を複写したものが両替機で使われるという事件も発生しており、偽造防止を十分に果たせない可能性があるという欠点がある。
【０００３】
また、従来の証券には、管理目的のために、管理番号が印刷される。この番号は、人間の目だけではなくコンピュータでも読み取れるようにするために、ＭＩＣＲ（Ｍａｇｎｅｔｉｃ  Ｉｎｋ  Ｃｈａｒａｃｔｅｒ  Ｒｅｃｏｇｎｉｔｉｏｎ）、ＯＣＲ（Ｏｐｔｉｃａｌ  Ｃｈａｒａｃｔｏｒ  Ｒｅｃｏｇｎｉｔｉｏｎ）などで印刷されることがある。さらには、証券に磁気テープを貼り、その磁気テープに管理番号を記録するものもある。しかし、管理番号で表現されるデータ量は極めて少なく、また汚れたり破損すると読み取れなくなるために、管理番号で管理できる範囲は狭く、しかも管理のための事務作業に掛かる手間が膨大であるという欠点がある。例えば、紙幣の員数管理では、銀行員が券種別に揃えて員数機を通していたために、手間が掛かっている。また例えば、紙幣は管理番号に基づいて発行年月日を管理し、ある流通年数を経過すると廃棄処分にしていているが、紙幣のいたみ具合により管理番号の識別が難しくなれば、流通年数の判定そのものが困難になる。
【０００４】
【発明が解決しようとする課題】
本発明は上記従来技術の欠点に鑑みなされたもので、偽造が困難でかつ広範囲の管理が容易にできる証券を提供することを課題とする。
【０００５】
【課題を解決するための手段】
本発明において上記課題を達成するために、請求項１の発明では、証券用紙の表面にＲＦ−ＩＤタグと該ＲＦ−ＩＤタグを隠蔽する隠蔽層を設けたことを特徴とする証券としたものである。
また、請求項２の発明では、前記隠蔽層がスクリーンインキ又はホログラムシートもしくはホログラム箔のいずれかによる隠蔽層であることを特徴とする請求項１に記載の証券としたものである。
また、請求項３の発明では、前記ＲＦ−ＩＤタグに該証券の券面に表示されている情報が記録されていることを特徴とする請求項１または請求項２に記載の証券としたものである。
また、請求項４の発明では、前記ＲＦ−ＩＤタグが証券用紙の厚みに比較して薄いことを特徴とする請求項１から請求項３のいずれかに記載の証券としたものである。
【０００６】
また、請求項５の発明では、前記証券が紙幣であり、ＲＦ−ＩＤタグには前記紙幣に印刷表示された金額、管理番号、発行年月日のいずれかを含むデータが記憶されてなることを特徴とする請求項１から請求項４のいずれかに記載の証券としたものである。
また、請求項６の発明では、前記証券が乗車券であり、前記ＲＦ−ＩＤタグには前記乗車券に表示された乗車できる区間のデータが記録されてなることを特徴とする請求項１から請求項４のいずれかに記載の証券としたものである。
【０００７】
また、請求項７の発明では、前記証券が有価証券であり、前記ＲＦ−ＩＤタグには前記有価証券に表示された署名及び金額のデータが記憶されてなることを特徴とする請求項１から請求項４のいずれかに記載の証券としたものである。
また、請求項８の発明では、前記証券が預金通帳であり、ＲＦ−ＩＤタグには前記預金通帳に表示された本人の固有の情報が記録されてなることを特徴とする請求項１から請求項４のいずれかに記載の証券としたものである。
【０００８】
また、請求項９の発明では、前記証券が商品券またはギフト券であり、前記ＲＦ−ＩＤタグには前記商品券または前記ギフト券に表示された管理番号及び金額が記録されてなることを特徴とする請求項１から請求項４のいずれかに記載の証券としたものである。
また、請求項１０の発明では、前記証券が旅券であり、前記ＲＦ−ＩＤタグには前記旅券に記載される本人の固有の情報又は渡航手続きの内容及び手続き年月日のデータが記録されてなることを特徴とする請求項１から請求項４いずれかに記載の証券としたものである。
【０００９】
また、請求項１１の発明では、前記証券が入場券であり、前記ＲＦ−ＩＤタグには前記入場券に記載される情報が記録されてなることを特徴とする請求項１から請求項４のいずれかに記載の証券としたものである。
また、請求項１２の発明では、前記証券が証書であり、前記ＲＦ−ＩＤタグには前記証書に記載される情報が記録されてなることを特徴とする請求項１から請求項４のいずれかに記載の証券としたものである。
【００１０】
また、請求項１３の発明では、証券用紙の製造過程において、該証券用紙表面にＲＦ−ＩＤタグを設け、このＲＦ−ＩＤタグを隠蔽する隠蔽層を設けることを特徴とする証券の製造方法としたものである。
【００１１】
【発明の実施の形態】
本発明の証券は、非接触タグを隠蔽している。隠蔽の仕方は、証券用紙内部に内蔵することによって隠蔽する場合と、証券用紙の表面に隠蔽層を設けることによって隠蔽する場合とに大別される。いずれの場合でも、証券用紙の厚みに比較して十分に薄い非接触タグを用いることにより、証券を外部から見たとき非接触タグの存在がわからないようにする。
【００１２】
図１及び図２は、それぞれ、証券用紙の内部に、非接触タグを隠蔽した例を示している。図１は、証券用紙を抄造するときに、非接触タグ４を証券用紙内部に内蔵することによって隠蔽した証券の断面図である。図２は、用紙（上側）５と用紙（下側）７との間に非接触タグ８を挟んで貼り合わせることにより非接触タグ８を証券用紙内部に内蔵することによって隠蔽した証券の断面図である。
【００１３】
図３及び図４は、それぞれ、証券用紙の表面に隠蔽層を設けることによって非接触タグを隠蔽した例を示している。図３は、証券用紙１０の表面に、スクリーン印刷したときに生ずるスクリーンインキ１２による隠蔽層によって、非接触タグ１１を隠蔽した証券の断面図である。図４は、証券用紙１５の表面に、ホログラム１７による隠蔽層によって、非接触タグ１６を隠蔽した証券の断面図である。ホログラム１７は、ホログラムシート又はホログラム箔である。
【００１４】
非接触タグは、ＲＦ−ＩＤタグとも呼ばれ、内部に電池などの電源は備えていないが、外部からの電磁波などによってエネルギーが供給され、外部とデータ交換をするものである。この非接触タグは、現在、主として、図５のような樹脂成型品や図６のようなカードに内蔵され、入退出管理、物流管理などに使用されている。また、非接触タグは、数ｃｍ〜数ｍの距離でデータの読み取り及び書き込みが可能で、データの記憶容量も大きい。
【００１５】
【発明の効果】
従って、本発明の証券は、様々な管理を容易に行えるなど幅広い効果がある。また、例えば、本発明の証券に隠蔽された非接触タグに、券面に表示されている情報を記録しておけば、非接触タグに記録されている情報と、券面に表示されている情報とを比較することにより、偽造を容易に発見することができ、これにより偽造防止をすることができるという効果もある。さらに、証券用紙の厚みに比較して十分に薄い非接触タグを用いることにより、証券を外部から見たとき非接触タグの存在がわからないようにするので、本発明の証券は、従来の利用方法と違和感なしに使用できるという効果もある。
【００１６】
以下に、本発明の証券には、偽造が困難でかつ広範囲の管理が容易にできるなど幅広い効果があることを、各証券の種類ごとに具体的に説明する。
【００１７】
１：紙幣の場合
紙幣に隠蔽された非接触タグに金額のデータを書き込んでおけば、その金額のデータを読み取り、紙幣の表面に印刷された金額と比較することにより、紙幣の真偽判定が容易に可能になるので、紙幣の偽造が困難になる。
【００１８】
紙幣に隠蔽された非接触タグに記憶されているデータは、箱の中でも、束のままでも即座に読み取り可能である。それゆえ、例えば、非接触タグに、金額、管理番号、発行年月日などのデータを記憶させておけば、それらのデータを読み取ることによって、券種ごとの員数を算出することはもちろん、合計金額を計算することも容易になる。
【００１９】
非接触タグに記憶させているデータの中に、発行年月日など紙幣の流通年数を判定するのに役立つデータを含めておけば、廃棄処分の対象となる流通年数を経過した紙幣を選別して、廃棄処分をすることが容易になる。
【００２０】
非接触タグはデータの追記が可能であるので、いくつかの管理箇所を設け、それらの管理箇所でデータの追記及び読み取りを行えば、各紙幣がどこに存在するのかを把握することは可能である。従って、紙幣の流通、在庫、廃棄といった物流管理を容易に行うことができる。
【００２１】
２：切手の場合
切手に隠蔽された非接触タグに送付先のデータを書き込めば、非接触で送付先を読み取ることができるので、郵便番号と比較して容易に配達業務が行うことができる。
【００２２】
小包の物流拠点にいくつかの管理箇所を設け、それらの管理箇所でデータの追記及び読み取りを行えば、小包の流通の実態をより正確に把握でき、適切な料金設定を容易に行うことができる。
【００２３】
３：乗車券の場合
乗車券に隠蔽された非接触タグに、乗車できる区間のデータを記録し、さらに乗車駅、乗り継ぎ駅、降車駅などでデータを書き込み、それらのデータを比較することで、キセルを容易に防止できるようになる。
【００２４】
４：小切手、手形の場合
小切手、手形に隠蔽された非接触タグに、署名及び金額のデータを記録し、このデータと券面表示とを比較することにより、それらの改ざんを容易に判別出来る。
【００２５】
５：預金通帳の場合
預金通帳に隠蔽された非接触タグに、ポイントを記録すれば、ポイントサービスが容易に行える。また、その非接触タグに、指紋や眼球の虹彩など、本人固有の情報を記録すれば、本人照合が暗証番号と比較して正確かつ容易に行える。
【００２６】
６：商品券、ギフト券の場合
商品券、ギフト券に隠蔽された非接触タグに、管理番号、券面金額のデータを記録すれば、束の状態で、合計枚数、合計金額が直ぐに算出できる。
【００２７】
７：旅券の場合
入出国手続、在留手続などの各渡航手続において、旅券に隠蔽された非接触タグに、手続の内容及び年月日などのデータを記録すれば、滞在期間、滞在場所の確認が容易にできる。また、旅券に隠蔽された非接触タグに、指紋や眼球の虹彩など、本人固有の情報を記録すれば、本人照合が正確かつ容易に行える。
【図面の簡単な説明】
【図１】抄造するとき証券用紙の内部に非接触タグを隠蔽した証券の断面図。
【図２】貼り合わせによって証券用紙の内部に非接触タグを隠蔽した証券の断面図。
【図３】スクリーンインキで証券用紙の表面に非接触タグを隠蔽した証券の断面図。
【図４】ホログラムで証券用紙の表面に非接触タグを隠蔽した証券の断面図。
【図５】非接触タグを内蔵したコイン型樹脂成型品。
【図６】非接触タグを内蔵したカード。
【符号の説明】
１…用紙（上側）
２…用紙（中側）
３…用紙（下側）
４…非接触タグ
５…用紙（上側）
６…接着剤層
７…用紙（下側）
８…非接触タグ
１０…証券用紙
１１…非接触タグ
１２…スクリーンインキ
１５…証券用紙
１６…非接触タグ
１７…ホログラム
２０…非接触タグ
２１…コイン型樹脂成型品
２２…非接触タグ
２３…カード
【図１】
0003541823.tif 000002
【図２】
0003541823.tif 000003
【図３】
0003541823.tif 000004
【図４】
0003541823.tif 000005
【図５】
0003541823.tif 000006
【図６】
0003541823.tif 000007